(57)【要約】【課題】機械室内の既設の巻上機をそのまま残すと共に、その既設の巻上機の据え付け用のマシンベッドをほぼそのまま利用して新規の小型の巻上機を据え付けてエレベータの駆動系統を短い工期で能率よくかつ低コストでリニューアルすることができるエレベータのリニューアル方法を提供する。【解決手段】機械室２に設置されている既設の巻上機３に代えて新規の巻上機２４を使用してエレベータを駆動する形態にリニューアルする方法であって、円筒型モータ２０の回転軸２２にトラクションシーブ２３を取り付けて新規の巻上機２４とし、この新規の巻上機２４を、機械室２の既設の巻上機３の脇の空きスペースに設置し、乗りかご１４及びつり合い重り１５を昇降路１内に吊り下げるメインロープ１３を新規の巻上機２４のトラクションシーブ２３に巻き掛けてその新規の巻上機２４により乗りかご１４及びつり合い重り１５を駆動する。【選択図】      図６
2008030885.tif 000002
【特許請求の範囲】
【請求項１】
昇降路の上部の機械室に設置されている既設の巻上機に代えて新規の巻上機を使用してエレベータを駆動する形態にリニューアルする方法であって、
円筒型モータの回転軸にトラクションシーブを取り付けて新規の巻上機とし、この新規の巻上機を、前記機械室に設置された状態の既設の巻上機の脇の空きスペースに設置し、乗りかご及びつり合い重りを昇降路内に吊り下げるメインロープを前記新規の巻上機のトラクションシーブに巻き掛けてその新規の巻上機により前記乗りかご及びつり合い重りを駆動することを特徴とするエレベータのリニューアル方法。
【請求項２】
乗りかご及びつり合い重りをメインロープで吊り下げる方式として、前記既設の巻上機による場合の１：１ローピング方式から前記新規の巻上機による場合には２：１ローピング方式に変更することを特徴とする請求項１に記載のエレベータのリニューアル方法。
【請求項３】
前記既設の巻上機で駆動していた乗りかご及びつり合い重りに、かごシーブ及び重りシーブをそれぞれ取り付ける改修を行なって、その乗りかご及びつり合い重りを２：１ローピング方式により吊り下げることを特徴とする請求項２に記載のエレベータのリニューアル方法。
【請求項４】
新規の巻上機は、動力伝達用の減速歯車機構をもたないタイプのものであることを特徴とする請求項１に記載のエレベータのリニューアル方法。
【請求項５】
新規の巻上機のトラクションは、新規の巻上機の回転軸に直付けされていることを特徴とする請求項４に記載のエレベータのリニューアル方法。
【発明の詳細な説明】
【技術分野】
【０００１】
この発明は、機械室に設置されている既設の巻上機に代えて新規の巻上機を使用してエレベータを駆動する形態にリニューアルする方法に関する。
【背景技術】
【０００２】
従来、エレベータの機械室には、ウオーム式やヘリカル式の減速歯車機構を有する大型の巻上機が設置され、エレベータの駆動源として使用されている。巻上機は、機械室に据え付けられたマシンベッドの上に設置され、この巻上機のトラクションシーブにメインロープが巻き掛けられ、このメインロープを介して昇降路内に乗りかご及びつり合い重りが吊り下げられ、また巻上機の近傍に前記メインロープの引き落とし位置をそらすためのそらせシーブが設けられている。
【０００３】
ウオーム式やヘリカル式の巻上機は減速歯車機構を有するため大型であり、機械室内を広く占有する。このため、既設の巻上機に代えて新規の同型の巻上機を使用するようにリニューアルする際には、既設の巻上機、マシンベッド、そらせシーブを分解して機械室から搬出撤去し、この後、新規の巻上機を機械室内に搬入し、所定の位置に据え付けるようにしている。
【０００４】
この場合、既設の巻上機の分解撤去に多大の時間と労力を要し、また新規の巻上機も大型であるため、その搬入経路の確保や搬入作業に多大の時間と労力が必要となっている。このためリニューアル工期が長引き、またコストも増大する結果となっている。
【０００５】
そこで、特開２００５−１２６１６６公報には、新設する巻上機として小型の薄型巻上機を用い、機械室内の既設の巻上機は分解せずにそのまま残し、新設する薄型巻上機を既設の巻上機と並べて機械室内に設置して能率的なリニューアルを実現するようにした技術が開示されている。
【特許文献１】特開２００５−１２６１６６公報
【発明の開示】
【発明が解決しようとする課題】
【０００６】
特開２００５−１２６１６６公報に示される新規の巻上機は、回転軸方向の長さよりも回転軸垂直方向の長さが大きな薄型構造となっている。この薄型構造の巻上機は回転軸が水平方向を向き、全体が垂直に起立するように機械室内に設置される。
【０００７】
機械室には巻上機設置用のマシンベッドが水平に設けられている。このマシンベッドは複数の梁材を組み合わせて構成されている。このようなマシンベッドは平面方向の広がりを有するが、垂直方向に対してはほとんど広がりがない。したがって、このマシンベッドに薄型の巻上機を据え付けるためには、マシンベッドの上に垂直に梁材を追加して取り付け、その垂直な梁材に巻上機を据え付けることになる。このため、その垂直の梁材を追加しなければならず、工期が延び、また材料費や作業費がかかり、コスト高となる。
【０００８】
この発明はこのような点に着目してなされたもので、その目的とするところは、機械室内の既設の巻上機をそのまま残すと共に、その既設の巻上機の据え付け用のマシンベッドをほぼそのまま利用して新規の小型の巻上機を据え付けてエレベータの駆動系統を短い工期で能率よくかつ低コストでリニューアルすることができるエレベータのリニューアル方法を提供することにある。
【課題を解決するための手段】
【０００９】
請求項１の発明は、昇降路の上部の機械室に設置されている既設の巻上機に代えて新規の巻上機を使用してエレベータを駆動する形態にリニューアルする方法であって、円筒型モータの回転軸にトラクションシーブを取り付けて新規の巻上機とし、この新規の巻上機を、前記機械室に設置された状態の巻上機の脇の空きスペースに設置し、乗りかご及びつり合い重りを昇降路内に吊り下げるメインロープを前記新規の巻上機のトラクションシーブに巻き掛けてその新規の巻上機により前記乗りかご及びつり合い重りを駆動することを特徴としている。
【００１０】
請求項２の発明は、乗りかご及びつり合い重りをメインロープで吊り下げる方式として、前記既設の巻上機による場合の１：１ローピング方式から前記新規の巻上機による場合には２：１ローピング方式に変更することを特徴としている。
【００１１】
請求項３の発明は、前記既設の巻上機で駆動していた乗りかご及びつり合い重りに、かごシーブ及び重りシーブをそれぞれ取り付ける改修を行なって、その乗りかご及びつり合い重りを２：１ローピング方式により吊り下げることを特徴としている。
【００１２】
請求項４の発明は、新規の巻上機が、動力伝達用の減速歯車機構をもたないタイプのものであることを特徴としている。
【００１３】
請求項５の発明は、新規の巻上機のトラクションが、新規の巻上機の回転軸に直付けされていることを特徴としている。
【発明の効果】
【００１４】
この発明によれば、機械室内の既設の巻上機をそのまま残すと共に、その既設の巻上機の据え付け用のマシンベッドをほぼそのまま利用して新規の小型の巻上機を据え付けてエレベータの駆動系統を短い工期で能率よくかつ低コストでリニューアルすることができる。
【発明を実施するための最良の形態】
【００１５】
以下、この発明の実施形態について図面を参照して説明する。  
図１はリニューアル前のエレベータの全体の構成を示す側面図である。昇降路１の上部の機械室２には減速歯車機構を有する大型の巻上機３が設置されている。機械室２は床材５を備え、この床材５の上に複数の梁材６を組み合わせてなるマシンベッド７が設けられ、このマシンベッド７の上に巻上機３が据え付けられている。
【００１６】
巻上機３は回転駆動されるトラクションシーブ１０を備え、またマシンベッド７の側部にはそらせシーブ１１が回転自在に取り付けられている。巻上機３のトラクションシーブ１０にはメインロープ１３が巻き掛けられ、このメインロープ１３の一方の端末側は直接昇降路１内に引き落とされ、他方の端末側はそらせシーブ１１を通して昇降路１内に引き落とされている。そして、メインロープ１３の一方の端末側端部に乗りかご１４が、他方の端末側端部につり合い重り１５がそれぞれ連結され、これら乗りかご１４及びつり合い重り１５がメインロープ１３による１：１のローピング方式で昇降路１内に吊り下げられている。
【００１７】
図２には乗りかご１４とつり合い重り１５の平面視での配置関係を示してある。図２に示す乗りかご１４の左側が前面、右側が背面であり、つり合い重り１５は乗りかご１４の背面側を通ってすれ違うように配置されている。そして巻上機３のトラクションシーブ１０及びそらせシーブ１１が乗りかご１４の前後方向に沿うように配置されている。
【００１８】
エレベータの運転時には、巻上機３が起動してトラクションシーブ１０が回転し、この回転でメインロープ１３がその長さ方向に走行して乗りかご１４及びつり合い重り１５が昇降路１内で互い逆方向に昇降移動する。
【００１９】
このエレベータの駆動系統のリニューアルにあたっては、巻上機として図３〜図５に示す円筒型モータ２０を用いる。この円筒型モータ２０は、エレベータをはじめとする各種の機器の駆動源として用いられている周知のモータで、本体２１が回転軸２２の軸方向に円筒型に延びる小型のコンパクトな構成となっている。そしてこの円筒型モータ２０の回転軸２２に直接トラクションシーブ２３を取り付けてリニューアル用の巻上機２４として用いる。
【００２０】
リニューアルの作業の際には、図６に示すように、機械室２に設置されている既設の巻上機３はそのまま残し、その既設の巻上機３の脇のマシンベッド７の上の空きスペースにリニューアル用の新規の巻上機２４を据え付ける。すなわち、既設の巻上機３は機械室２内に設置された状態のままとし、その近傍の干渉しない位置にリニューアル用の新規の巻上機２４を新たに設置する。
【００２１】
巻上機２４は円筒型モータ２０の本体２１及び回転軸２２が水平方向を向くようにマシンベッド７の上に配置し、ボルトなどの締結具を用いてマシンベッド７に締結固定して据え付ける。マシンベッド７の上面は一定の広がりを有しており、したがって巻上機２４を水平に配置させることで特に据え付け用の梁材などを付け加えることなく容易に据え付けることができる。
【００２２】
巻上機２４をマシンベッド７に据え付けた後には、トラクションシーブ２３にメインロープ１３を巻き掛け、このメインロープ１３の両端末側を昇降路１内に引き落とす。そしてこのメインロープ１３の一方の端末側と他方の端末側とで乗りかご１４及びつり合い重り１５を２：１のローピング方式で昇降路１内に吊り下げる。メインロープ１３を引き落とす際に、図１に示す既設のそらせシーブ１１が邪魔となるときには、そのそらせシーブ１１を撤去する。
【００２３】
新設の巻上機２４のトラクションシーブ２３は、円筒型モータ２０の回転軸２２に直付けされ、その動力が減速歯車機構を経ることなく直接伝達される。したがって駆動トルクが小さい。このため乗りかご１４及びつり合い重り１５を２：１のローピング方式で吊り下げて駆動する。
【００２４】
図７（Ａ）には、リニューアル前の１：１ローピング方式で吊り下げられた乗りかご１４の構造を示してある。この乗りかご１４は、左右に離間して垂直に配置する立枠２８と、これら立枠２８の上端部間及び下端部間にそれぞれ架設された上梁２９及び下梁３０と、下梁３０の上に据え付けられた床枠３１と、この床枠３１の上に設置されたかご室３２とで構成されている。そしてメインロープ１３の一方の端末側の端部が前記上梁２９に連結され、そのメインロープ１３で昇降路１内に吊り下げられている。
【００２５】
この乗りかご１４をリニューアルに際し、２：１ローピング方式での吊り下げを可能にするために図７（Ｂ）に示すように改修する。すなわち、上梁２９の下に梁材３３を水平に取り付け、この梁材３３の両端部にそれぞれ回転自在にかごシーブ３４を取り付ける。そして図６に示すように、新設の巻上機２４のトラクションシーブ２３から引き落とされたメインロープ１３の一方の端末側を前記一対のかごシーブ３４の下側を通るようにその双方のかごシーブ３４に渡って掛け合わすとともに上方に引き上げ、その端末を機械室２のヒッチ部３５に連結して固定する。
【００２６】
また、図８（Ａ）にはリニューアル前のつり合い重り１５を示してあり、このつり合い重り１５を図８（Ｂ）に示すように、２：１ローピング方式に適合する構造に改修する。すなわち、つり合い重り１５の上端部にブラケット３８を介して重りシーブ３９を回転自在に取り付ける。そして、図６に示すように、新設の巻上機２４のトラクションシーブ２３から引き落とされたメインロープ１３の他方の端末側を前記重りシーブ３９の下側に巻き掛けるとともに上方に引き上げ、その端末を機械室２のヒッチ部４０に連結して固定する。
【００２７】
かごシーブ３４及び重りシーブ３９は、図９に示すように乗りかご１４の前後方向に沿って並ぶように配置し、乗りかご１４の背面側のかごシーブ３４とつり合い重り１５の重りシーブ３９との間の直上に新設の巻上機２４のトラクションシーブ２３が配置するように設定して乗りかご１４とつり合い重り１５を２：１ローピング方式で吊り下げる。
【００２８】
このように乗りかご１４とつり合い重り１５を２：１ローピング方式で吊り下げることにより、１：１ローピング方式の場合のほぼ１／２のトルクで乗りかご１４とつり合い重り１５を駆動することができる。したがって新設の巻上機２４の駆動トルクが小さくてもそれに十分に対応することができる。
【００２９】
なお、前記実施形態は、つり合い重り１５が乗りかご１４の背面側に配置されている場合の例であるが、図１０に示すように、つり合い重り１５が乗りかご１４の一方の側面側に配置される場合には、乗りかご１４のかごシーブ３４及びつり合い重り１５の重りシーブ３９を図１０に鎖線で示すように斜めに配置させる。すなわち、乗りかご１４及びつり合い重り１５の上面を斜めに横切る線上に沿ってかごシーブ３４及び重りシーブ３９が並ぶように配置させる。そして、巻上機２４を乗りかご１４の前後方向に対して傾く向きに配置させると共に、乗りかご１４の一方のかごシーブ３４と重りシーブ３９との間の直上にその巻上機２４のトラクションシーブ２３を配置させて乗りかご１４とつり合い重り１５を２：１ローピング方式で吊り下げる。
【図面の簡単な説明】
【００３０】
【図１】リニューアル前のエレベータの構成を示す側面図。
【図２】リニューアル前の巻上機と乗りかごとつり合い重りとの配置関係を示す平面図。
【図３】リニューアル用の巻上機の構成を示す側面図。
【図４】リニューアル用の巻上機の構成を示す正面図。
【図５】リニューアル用の巻上機の構成を示す背面図。
【図６】リニューアル後のエレベータの構成を示す側面図。
【図７】リニューアル前の乗りかごとリニューアル後の乗りかごを示す側面図。
【図８】リニューアル前のつり合い重りとリニューアル後のつり合い重りを示す側面図。
【図９】リニューアル後の巻上機と乗りかごとつり合い重りとの配置関係を示す平面図。
【図１０】乗りかごの側面側につり合い重りが配置される場合の巻上機と乗りかごとつり合い重りとの配置関係を示す平面図。
【符号の説明】
【００３１】
１…昇降路
２…機械室
３…既設の巻上機
７…マシンベッド
１０…トラクションシーブ
１１…そらせシーブ
１３…メインロープ
１４…乗りかご
１５…つり合い重り
２０…円筒型モータ
２２…回転軸
２３…トラクションシーブ
２４…新規の巻上機
３４…かごシーブ
３９…重りシーブ
【図１】
2008030885.tif 000003
【図２】
2008030885.tif 000004
【図３】
2008030885.tif 000005
【図４】
2008030885.tif 000006
【図５】
2008030885.tif 000007
【図６】
2008030885.tif 000008
【図７】
2008030885.tif 000009
【図８】
2008030885.tif 000010
【図９】
2008030885.tif 000011
【図１０】
2008030885.tif 000012